(57)【要約】【課題】直流電源部と本体部とを別体としつつ、本体部に設けられた安全装置により交流と直流の電圧の供給を確実に遮断可能な電気機器及び衛生洗浄装置を提供する。【解決手段】交流により動作する交流負荷部と、直流により動作する直流負荷部と、電流路の開閉が可能な第１の安全装置と、を有する本体部と、交流電圧を直流電圧に変換し出力する直流電源部を有し、前記本体部とは別体として設けられた電源部と、前記第１の安全装置を介して前記直流電源部に前記交流電圧を供給する交流電源線と、を備えたことを特徴とする電気機器を提供する。【選択図】図２
2008092625.tif 000002
【特許請求の範囲】
【請求項１】
交流により動作する交流負荷部と、直流により動作する直流負荷部と、電流路の開閉が可能な第１の安全装置と、を有する本体部と、
交流電圧を直流電圧に変換し出力する直流電源部を有し、前記本体部とは別体として設けられた電源部と、
前記第１の安全装置を介して前記直流電源部に前記交流電圧を供給する交流電源線と、
を備えたことを特徴とする電気機器。
【請求項２】
前記本体部に供給された交流電圧は、第１の安全装置を介して前記交流負荷部に供給されることを特徴とする請求項１記載の電気機器。
【請求項３】
交流により動作する交流負荷部と、直流により動作する直流負荷部と、電流路の開閉が可能な第１の安全装置と、電流路の開閉が可能な第２の安全装置と、を有する本体部と、
交流電圧を直流電圧に変換し出力する直流電源部を有し、前記本体部とは別体として設けられた電源部と、
を備え、
前記第１の安全装置と第２の安全装置は、略同時に開閉作動が可能とされ、
前記交流負荷部から出力された前記交流電圧は、前記第１の安全装置を介して前記交流負荷部に供給され、
前記直流電源部から出力された前記直流電圧は、前記第２の安全装置を介して前記直流負荷部に供給されることを特徴とする電気機器。
【請求項４】
交流電源に接続可能なプラグをさらに備え、
前記プラグを介して供給された交流電圧は、前記電源部を介して前記本体部に供給されることを特徴とする請求項１〜３のいずれか１つに記載の電気機器。
【請求項５】
前記安全装置は、温度ヒューズであることを特徴とする請求項１〜４のいずれか１つに記載の電気機器。
【請求項６】
前記電源部は、前記交流電圧の出力を遮断する漏電遮断機構をさらに備えたことを特徴とする請求項１〜５のいずれか１つに記載の電気機器。
【請求項７】
交流により動作する交流負荷部と、直流により動作する直流負荷部と、電流路の開閉が可能な第１の安全装置と、を有し、吐水ノズルから水を噴射する本体部と、
交流電圧を直流電圧に変換し出力する直流電源部を有し、前記本体部とは別体として設けられた電源部と、
前記第１の安全装置を介して前記直流電源部に前記交流電圧を供給する交流電源線と、
を備え、
前記本体部は、前記吐水ノズルから噴射する水を加熱する熱交換ユニットをさらに有し、
前記安全装置は、前記熱交換ユニットに設けられた温度ヒューズであることを特徴とする衛生洗浄装置。
【請求項８】
交流により動作する交流負荷部と、直流により動作する直流負荷部と、電流路の開閉が可能な第１の安全装置と、電流路の開閉が可能な第２の安全装置と、を有し、吐水ノズルから水を噴射する本体部と、
交流電圧を直流電圧に変換し出力する直流電源部を有し、前記本体部とは別体として設けられた電源部と、
を備え、
前記本体部は、前記吐水ノズルから噴射する水を加熱する熱交換ユニットをさらに有し、
前記第１及び第２の安全装置は、前記熱交換ユニットに設けられた温度ヒューズであり、
前記交流負荷部から出力された前記交流電圧は、第１の温度ヒューズを介して前記交流負荷部に供給され、
前記直流電源部から出力された前記直流電圧は、前記第２の温度ヒューズを介して前記直流負荷部に供給されることを特徴とする衛生洗浄装置。
【発明の詳細な説明】
【技術分野】
【０００１】
本発明は、電気機器及び衛生洗浄装置に関し、より具体的には、交流電圧と直流電圧とを併用する電気機器及び衛生洗浄装置に関する。
【背景技術】
【０００２】
ヒータやモータなどを搭載した電気機器は、その内部で交流電圧と直流電圧を併用する場合が多い。このような電気機器として、例えば、衛生洗浄装置を挙げることができる。衛生洗浄装置は、洗浄水を噴射する吐水ノズルを進退自在に収容し、腰掛便器の上に設置して使用者の「おしり」などを温水で洗浄することができる電気機器である。そして、温水などを生成するために交流電圧を利用し、ステッピングモータや制御用のＣＰＵ（central processing unit）などの電源としては、直流電圧が必要とされる。
【０００３】
このような衛生洗浄装置において、交流電圧から直流電圧を発生させる直流電源部を本体部の外に別体として設けることにより、本体部の小型化を図ることができる（特許文献１）。
【特許文献１】特開２００１−７５６５５号公報
【発明の開示】
【発明が解決しようとする課題】
【０００４】
本発明は、直流電源部と本体部とを別体としつつ、本体部に設けられた安全装置により交流と直流の電圧の供給を確実に遮断可能な電気機器及び衛生洗浄装置を提供するものである。
【課題を解決するための手段】
【０００５】
本発明の一態様によれば、交流により動作する交流負荷部と、直流により動作する直流負荷部と、電流路の開閉が可能な第１の安全装置と、を有する本体部と、交流電圧を直流電圧に変換し出力する直流電源部を有し、前記本体部とは別体として設けられた電源部と、前記第１の安全装置を介して前記直流電源部に前記交流電圧を供給する交流電源線と、を備えたことを特徴とする電気機器が提供される。
【０００６】
また、本発明の他の一態様によれば、交流により動作する交流負荷部と、直流により動作する直流負荷部と、電流路の開閉が可能な第１の安全装置と、を有し、吐水ノズルから水を噴射する本体部と、交流電圧を直流電圧に変換し出力する直流電源部を有し、前記本体部とは別体として設けられた電源部と、前記第１の安全装置を介して前記直流電源部に前記交流電圧を供給する交流電源線と、を備え、前記本体部は、前記吐水ノズルから噴射する水を加熱する熱交換ユニットをさらに有し、前記安全装置は、前記熱交換ユニットに設けられた温度ヒューズであることを特徴とする衛生洗浄装置が提供される。
【０００７】
また、本発明の他の一態様によれば、交流により動作する交流負荷部と、直流により動作する直流負荷部と、電流路の開閉が可能な第１の安全装置と、電流路の開閉が可能な第２の安全装置と、を有し、吐水ノズルから水を噴射する本体部と、交流電圧を直流電圧に変換し出力する直流電源部を有し、前記本体部とは別体として設けられた電源部と、を備え、前記本体部は、前記吐水ノズルから噴射する水を加熱する熱交換ユニットをさらに有し、前記第１及び第２の安全装置は、前記熱交換ユニットに設けられた温度ヒューズであり、前記交流負荷部から出力された前記交流電圧は、第１の温度ヒューズを介して前記交流負荷部に供給され、前記直流電源部から出力された前記直流電圧は、前記第２の温度ヒューズを介して前記直流負荷部に供給されることを特徴とする衛生洗浄装置が提供される。
【発明の効果】
【０００８】
本発明によれば、直流電源部と本体部とを別体としつつ、本体部に設けられた安全装置により交流と直流の電圧の供給を確実に遮断可能な電気機器及び衛生洗浄装置を提供できる。
【発明を実施するための最良の形態】
【０００９】
以下、図面を参照しつつ本発明の実施の形態について説明する。  
図１は、本発明の実施の形態にかかる電気機器の模式斜視図である。  
本具体例の電気機器は、洋式腰掛便器９５０の上に設置された衛生洗浄装置１０である。なおここで、洋式腰掛便器９５０は、いわゆる「ロータンク式」のものでもよく、または水道などの給水源に直結されて洗浄水を流す「直圧式」のものでもよい。便器９５０の上に設置された衛生洗浄装置１０は、本体部１２と、この本体部１２に対して開閉自在に軸支された便座１４及び便蓋１６と、を備える。ただし便蓋１６は、設けなくてもよい。本体部１２からは、使用者のスイッチ操作などに応じて吐水ノズル４１０が便器９５０のボウル内に伸出し、その先端付近に設けられた吐水口から水を噴射して、使用者の「おしり」などを洗浄可能とされている。なお、本願明細書において「水」という場合には、冷水のみならず、加熱されたお湯も含むものとする。
【００１０】
本体部１２には、電源コード３２が配設され、本体部１２とは別体として設けられた電源部２０を介してプラグ７０が接続されている。プラグ７０は、トイレ室の１００ボルトコンセント（交流電源）９００に接続可能とされている。なお、本体部１２には、給水配管８３０も配設され、接続金具８２０を介してトイレの給水栓８００に接続可能とされている。給水栓８００には分岐水路８１０も適宜接続され、図示しないロータンクあるいは直圧式の給水バルブ機構にも給水可能とされている。
【００１１】
図２は、本具体例の衛生洗浄装置１０の構成を例示するブロック図である。  
プラグ７０には、漏電遮断機構として漏電遮断器（earth leakage breaker：ＥＬＢ）６０が内蔵されている。なお、プラグ７０には、さらに過電圧保護回路などを内蔵してもよい。コンセント９００から供給された交流１００ボルトは、漏電遮断器６０を介して、一対の交流電源線３２ＡＡ、３２ＡＢにより電源部２０に供給される。また、これら交流電源線３２ＡＡ、３２ＡＢと平行してアース線３２Ｂも配設されている。
【００１２】
電源部２０は、給電部２２と、直流電源部２４と、を有する。給電部２２は、一対の交流電源線３２ＡＡ、３２ＡＢ及びアース線３２Ｂを介してプラグ７０から供給された交流１００ボルトをそのまま本体部１２に出力するとともに、交流電源線の一方３２ＡＡを分岐させ、直流電源部２４に出力する。また一方、交流電源線の他方３２ＡＢは、本体部１２から電源部２０にリターンされ、直流電源部２４に接続されている。
【００１３】
直流電源部２４は、給電部２２から分岐された交流電源線３２ＡＡと本体部１２からリターンした交流電源線３２ＡＢとにより供給される交流１００ボルトを直流電圧に変換し、本体部１２に出力する。例えば、交流１００ボルトを、直流１４１ボルト、直流３０ボルト、直流２４ボルトにそれぞれ変換し、本体部１２に出力する。図２に表した具体例の場合、直流１４１ボルトは直流電源線３２Ｄ、直流３０ボルトは直流電源線３２Ｅ、直流２４ボルトは直流電源線３２Ｆを介して本体部１２に出力される。直流１４１ボルトと直流３０ボルトについては、グラウンド線３２Ｇが配設され、直流２４ボルトについてはグラウンド線３２Ｈが配設されている。
【００１４】
本体部１２は、交流負荷部３０と直流負荷部４０とを有する。  
交流負荷部３０は、交流１００ボルトを入力してヒータなどを制御する。例えば、交流負荷部３０は、温水を生成するための熱交換ユニット２００に設けられたヒータ５２に電力を供給する。また、この他にも例えば、便座１４を暖めるためのヒータや、便座１４に座った使用者の「おしり」などを乾燥させるための温風を生成するためのヒータや、トイレを暖房するための室内暖房ユニットにおいて温風を生成するためのヒータや、給水配管８３０を介して本体部１２に供給された水の流路を開閉する電磁弁などを駆動するための電力が交流負荷部３０から適宜供給される。
【００１５】
一方、直流負荷部４０は、電源部２０から供給された直流電圧により動作する各種の機器を有する。例えば、直流１４１ボルトと直流３０ボルトを用いて、電磁ポンプとその駆動回路４２を動作させ、ノズル４１０から噴出する水に脈動を付与することができる。また、直流２４ボルトを用いてステッピングモータ４８０を動作させ、ノズル４１０を進退させることができる。またさらに、直流２４ボルトを用いてレギュレータ４５により直流５ボルトを生成し、この直流５ボルトにより制御部（ＣＰＵ）５００を動作させて各部の制御を行うことができる。なお、制御部５００と直流負荷部３０との間には、信号線５０５が適宜配設され、制御部５００から制御信号が供給される。  
なお、アース線３２Ｂは、本体部１２のシャーシなどに適宜接続されている。
【００１６】
本具体例においては、電源部２０から供給される交流電源線のうちの交流電源線３２ＡＢが、熱交換ユニット２００の温度ヒューズ（安全装置）５４を介して交流負荷部３０に接続されている。そして、温度ヒューズ５４を介した交流電源線３２ＡＢが分岐して電源部２０にリターンされている。
【００１７】
このようにすると、仮に熱交換ユニット２００において過熱状態が発生した場合など、温度ヒューズ５４が溶断し、交流負荷部３０への交流１００ボルトの供給が遮断されるとともに、電源部２０に設けられた直流電源部２４への交流１００ボルトも遮断することができる。従って、本体部１２において、交流１００ボルトと同時に直流電圧も確実に遮断することができる。
【００１８】
図３及び図４は、比較例の衛生洗浄装置を表すブロック図である。  
すなわち、図３に表した比較例においては、本体部１２と別体の電源部は設けられていない。この場合には、プラグ７０から交流電源線３２ＡＡ、３２ＡＢ及び温度ヒューズ５４を介して本体部１２に交流１００ボルトが直接供給される。この交流１００ボルトは、交流負荷部３０に入力され、その後、直流負荷部４０に供給される。直流負荷部４０には、直流電源部２４が設けられ、交流１００ボルトを直流１４１ボルト、直流３０ボルト、直流２４ボルトにそれぞれ変換する。これら直流は、電磁ポンプとその駆動回路４２、ステッピングモータ４８０、レギュレータ４５などに適宜供給される。そして、各部の動作は、制御部５００により制御される。
【００１９】
本比較例においても、熱交換ユニット２００の温度ヒューズ５４が溶断すると、交流負荷部３０及び直流負荷部４０への交流１００ボルトの供給は同時に遮断される。しかし、直流電源部２４を本体部１２に内蔵させるため、本体部１２の小型化、薄型化、軽量化を阻害するという問題があった。さらにまた、電源として用いる交流は、国により異なり、欧州では２４０ボルトなどの場合もある。これに対して、本変型例の場合には、使用する交流電源に応じて本体部に内蔵させる電源回路などを作り替える必要があり、互換性、生産性などの点で改善の余地がある。
【００２０】
次に、図４に表した比較例の場合、本体部１２とは別体として電源部２０を設け、直流電源部２４を内蔵させている。従って、本体部１２の小型化などの点で有利となる。しかし、本比較例においては、本体部１２の温度ヒューズ５４を経由した交流電源線３２ＡＢが電源部２０にリターンされていない。従って、温度ヒューズ５４が溶断した場合、本体部１２への交流１００ボルトの供給は遮断されるが、直流電源部２４への交流１００ボルトの供給は遮断されず、直流電圧は本体部１２に供給され続ける点で改善の余地がある。
【００２１】
これに対して、図２に表した具体例の場合には、温度ヒューズ５４を経由した交流電源線３２ＡＢを電源部２０にリターンすることにより、直流電源部２４も確実に遮断することができる。つまり、図３に関して前述した比較例と同様に、本体部１２において、交流１００ボルトと同時に直流電圧も確実に遮断することができ、十分に安全な衛生洗浄装置を提供できる。
【００２２】
そして、本具体例によれば、本体部１２とは別体の電源部２０を設け、直流電源部２４を内蔵させることにより、本体部１２の小型化、薄型化、軽量化を大幅に促進することができる。またさらに、電源として用いる交流電圧が異なる場合にも、電源部２０のみを交換すればよい。例えば、給電部２２に交流電圧変換機能を付与すれば、使用する電源電圧に応じて電圧変換を実施することにより交流１００ボルトが常に得られ、直流電源部２４と本体部１２の構成は同一のままで用いることができる。つまり、互換性、生産性の点で優れた衛生洗浄装置を提供できる。
【００２３】
なお、図２に関して前述した具体例においては、安全装置として熱交換ユニット２００の温度ヒューズ５４を用いているが、本発明はこれには限定されない。これ以外にも、例えば、本体部１２に、傾斜を検知する傾斜スイッチを設け、交流電源線３２ＡＢをこの傾斜スイッチを介して電源部２０にリターンさせてもよい。このようにすれば、本体部１２が傾斜している場合には、傾斜スイッチにより交流と直流とを同時に遮断できる。その他、温度スイッチや圧力スイッチをはじめとする各種のスイッチ類などを安全装置として用いることができる。
【００２４】
図５は、本発明の第２の具体例の衛生洗浄装置を表すブロック図である。同図については、図１〜図４に関して前述したものと同様に要素には同一の符号を付して詳細な説明は省略する。
【００２５】
本具体例においては、電源部２０に漏電遮断器６０が内蔵されている。漏電遮断器６０は、図１及び図２に例示した如くプラグ７０に内蔵してもよいが、電源部２０に内蔵されることにより、プラグ７０を小型化できる。なお、漏電遮断器６０は、電源部２０に内蔵する給電部２２や直流電源部２４などと同一の回路基板上に形成することも可能であり、このようにすると、コンパクトにまとめることができる。
【００２６】
図６は、本発明の第３の具体例の衛生洗浄装置を表すブロック図である。同図についても、図１〜図５に関して前述したものと同様に要素には同一の符号を付して詳細な説明は省略する。
【００２７】
本具体例においては、熱交換ユニット２００に温度ヒューズ５４とともに温度ヒューズ５６、５８が設けられている。そして、本体部１２の温度ヒューズ５４を経由した交流電源線３２ＡＢが電源部２０にリターンされていない。すなわち、給電部２２から交流電源線３２ＡＡ、３２ＡＢが直流電源部２４に接続され、直流電圧が出力される。そして、温度ヒューズ５６は直流電源線３２Ｄに介在し、直流電源部２４から出力される直流１４１ボルトを遮断する。温度ヒューズ５８は直流電源線３２Ｆに介在し、直流電源部２４から出力される直流２４ボルトを遮断する。温度ヒューズ５４、５６、５８は、同じ熱交換ユニット２００内の近傍位置に設けられ、仮に熱交換ユニット２００において過熱状態が発生した場合など、温度ヒューズ５４、５６、５８は略同時に溶断するように構成される。
【００２８】
このように交流１００ボルトだけでなく、直流電圧の供給ラインにも温度ヒューズを設けて、それぞれの電圧ラインを直接遮断するようにしてもよい。なお、本具体例において、熱交換ユニット２００にさらに温度ヒューズを設け、直流電源線３２Ｅに接続して直流３０ボルトも遮断できるようにしてもよい。
【００２９】
図７は、本実施形態の衛生洗浄装置が備える機能部を説明するためのブロック図である。
【００３０】
すなわち、衛生洗浄装置１０の水路系には、給水路を開閉する電磁弁１２０と、水圧を調整する調圧弁１３０と、供給された水を加熱する熱交換ユニット２００と、ノズルに供給する水量を調整する流量調整弁ユニット３００と、便器のボウル内に伸出し水を噴射するノズルユニット４００と、が設けられている。ノズルユニット４００には、吐水ノズル４１０と、これを伸出・後退させるノズルモータ４８０と、吐水ノズル４１０の外周に水を噴射してその胴体を洗浄するノズル洗浄室４９０と、が設けられている。これら各要素の動作は、制御部５００により制御される。
【００３１】
また、制御部５００には、便座１４に使用者が座っていることを検知する着座センサ６００からの信号や、リモコン７００によるスイッチ操作の情報などが入力される。またさらに、衛生洗浄装置１０には、便座ヒータ５２０、温風乾燥ユニット５４０、室内暖房ユニット５６０などが適宜設けられる。便座ヒータ５２０は、便座１４を暖める役割を有する。温風乾燥ユニット５４０は、便座１４に座った使用者の「おしり」などに温風をあてて乾燥を促す役割を有する。室内暖房ユニット５６０は、トイレ空間に温風を放出することによりトイレを暖房する役割を有する。これら各ユニットの動作は、制御部５００により適宜制御される。
【００３２】
そして、これら各要素のうちで、熱交換ユニット２００のヒータ以外に、例えば、電磁弁１２０、便座ヒータ５２０、温風乾燥ユニット５４０のヒータ、室内暖房ユニット５６０のヒータに対して、交流１００ボルトが適宜供給される。一方、制御部５００、流量調整弁ユニット３００、ノズルモータ４８０、着座センサ６００などの各要素には、直流１４１ボルト、３０ボルト、２４ボルト、５ボルトなどの各レベルの直流電圧が適宜供給される。
【００３３】
次に、本実施形態において、温度ヒューズを設けた熱交換ユニット２００の具体例について説明する。  
図８は、いわゆる貯湯式の熱交換ユニットを表す模式斜視組立図である。  
また、図９は、その断面図である。  
この熱交換ユニット２００は、上タンク２０１と下タンク２０２とを組み合わせた貯湯タンクを有する。上タンク２０１の上面には、フロートスイッチ２０３、バキュームブレーカー２０６、サーミスタ２０７、バイメタル式温度過上昇防止器２０８、入水口２０９などが適宜設けられる。一方、下タンク２０２には、温水ヒータ２１２、水抜き弁２１３などが適宜設けられる。そして、温度ヒューズ２１１は、下タンク２０２の下面に取り付けられている。このように温度ヒューズ２１１を取り付けることにより、貯湯タンクが万が一過熱状態になった場合でも確実に電源を遮断できる。
【００３４】
図１０は、いわゆる瞬間式の熱交換ユニットを表す模式組立図である。  
この熱交換ユニット２００は、熱交換部２０１Ａ、温度安定部２０１Ｂ、出湯部２０１Ｃからなり、セラミックヒータ２１１により短時間で水を過熱する。セラミックヒータ２１１は、略円筒状のタンク２２２に内装される。また、タンク２２２には、バイメタルスイッチ２２３、水抜き弁２２４などが取り付けられる。温度安定部２０１Ｂは、流路形成体２２６、出湯を検知するサーミスタ２２７、フロートスイッチ２２８などが設けられている。出湯部２０１Ｃには、出湯形成体２３０、サーミスタ２３２、バキュームブレーカー２３３などが設けられている。そして、温度ヒューズ２１５は、タンク２２２の側面に取り付けられている。このように温度ヒューズ２１５を取り付けることにより、瞬間式の熱交換ユニットが万が一過熱状態になった場合でも確実に電源を遮断できる。
【００３５】
次に、本実施形態における電源部２０の配置の一例を説明する。  
図１１〜図１３は、電源部２０の配置を例示する模式図である。  
すなわち、本具体例においては、いわゆる「直圧式」のトイレ装置において、便器９５０の後方に凹設部９５０Ｃを設け、ここに電源部２０が固定されている。そして、その上にサイドカバー９５２が固定され、便器９５０の側面から略連続した曲面で覆われる。電源部２０は、略直方体状の外形を有する。図示しないプラグ７０から接続される１次側の電源コード３２と、衛生洗浄装置１０の本体部１２に接続される２次側の電源コード３２と、が電源部２０の同一の側面に配設されている。そして、便器９５０に電源部２０を固定した状態において、これら電源コード３２の取付部分は、鉛直下方となるように配置されている。
【００３６】
このようにすると、仮に上方から電源部２０に水がかかったような場合でも、電源コード３２の取付部分から電源部２０の内部に水が侵入することを防止できる。また、１次側と２次側の電源コード３２を電源部２０の同一の側面に配設すると、電源コード３２が電源部２０の両側に向けて張り出した場合よりもコンパクトに収納できる。
【００３７】
図１４は、電源部２０の設置の別の態様を例示する模式図である。  
本具体例においても、１次側及び２次側の電源コード３２は、電源部２０の同一の側面に配設されている。そして、これら電源コードの取付面が鉛直下方となるように、支持脚２８が設けられている。この電源部２０は、衛生洗浄装置１０が設置されたトイレの床面９０２に支持脚２８により立設された状態で設置することができる。このようにすれば、電源コード３２の取付部が鉛直下方を向くため、電源部２０に水がかかったような場合でも、電源コード３２の取付部分から電源部２０の内部に水が侵入することを防止できる。  
また、トイレの床面は水などで濡れる場合も多いが、電源部２０は、支持脚２８により立設されているので、床面の水が電源部２０の内部に侵入することも防止できる。
【００３８】
また、本具体例とは別に、例えば、取付具などを用いて、トイレの壁面に取付可能としてもよい。この場合も、１次側及び２次側の電源コード３２の取付部が鉛直下方を向くように固定するとよい。
【００３９】
またさらに、電源部２０にセンサなどを設け、１次側及び２次側の電源コード３２の取付部が鉛直下方を向いていない状態においては、電源が遮断されるようにしてもよい。このようにすると、電源コード３２の取付部からの水の侵入などをより確実に防止できる。
【００４０】
以上、具体例を参照しつつ、本発明の実施の形態について説明した。しかし、本発明は、これらの具体例に限定されるものではない。例えば、図１乃至図１４に関して前述した各具体例が有する特徴は、技術的に可能な範囲において適宜組み合わせることができ、これらも本発明の範囲に包含される。  
例えば、図６に表した具体例において、漏電遮断器６０を図５に表したように電源部２０に内蔵させてもよく、このような変型例も本発明の範囲に包含される。
【００４１】
また、衛生洗浄装置の構造や、その動作の内容についても、図１乃至図１４に関して前述したものには限定されず、当業者が適宜設計変更することにより本発明を同様に実施し、同様の効果を得ることができるものも本発明の要旨を含む限り、本発明の範囲に包含される。例えば、吐水ノズルは、水圧により進退するものであってもよく、あるいはひとつあるいは複数のシリンダ体の内部にスライド可能とされた多段式の構造を有するものであってもよい。
【００４２】
またさらに、本発明の電気機器は衛生洗浄装置に限定されるものではなく、本発明の要旨を包含する限り、本発明の電気機器の範囲に包含される。
【図面の簡単な説明】
【００４３】
【図１】本発明の実施の形態にかかる電気機器の模式斜視図である。
【図２】本具体例の衛生洗浄装置１０の構成を例示するブロック図である。
【図３】比較例の衛生洗浄装置を表すブロック図である。
【図４】比較例の衛生洗浄装置を表すブロック図である。
【図５】本発明の第２の具体例の衛生洗浄装置を表すブロック図である。
【図６】本発明の第３の具体例の衛生洗浄装置を表すブロック図である。
【図７】本実施形態の衛生洗浄装置が備える機能部を説明するためのブロック図である。
【図８】貯湯式の熱交換ユニットを表す模式斜視組立図である。
【図９】貯湯式の熱交換ユニットの断面図である。
【図１０】瞬間式の熱交換ユニットを表す模式組立図である。
【図１１】電源部２０の配置を例示する模式図である。
【図１２】電源部２０の配置を例示する模式図である。
【図１３】電源部２０の配置を例示する模式図である。
【図１４】電源部２０の設置の別の態様を例示する模式図である。
【符号の説明】
【００４４】
１０ 衛生洗浄装置、 １２ 本体部、 １４ 便座、 １６ 便蓋、 ２０ 電源部、 ２２ 給電部、 ２４ 直流電源部、 ２８ 支持脚、 ３０ 交流負荷部、 ３０ 直流負荷部、 ３２ 電源コード、 ３２ＡＡ 交流電源線、 ３２ＡＢ 交流電源線、 ３２Ｂ アース線、 ３２Ｄ 直流電源線、 ３２Ｅ 直流電源線、 ３２Ｆ 直流電源線、 ３２Ｇ グラウンド線、 ３２Ｈ グラウンド線、 ４０ 直流負荷部、 ４２ 駆動回路、 ４５ レギュレータ、 ５２ ヒータ、 ５４ 温度ヒューズ、 ５６ 温度ヒューズ、 ５８ 温度ヒューズ、 ６０ 漏電遮断器、 ７０ プラグ、１２０ 電磁弁、１３０ 調圧弁、２００ 熱交換ユニット、２０１ 上タンク、２０１Ａ 熱交換部、２０１Ｂ 温度安定部、２０１Ｃ 出湯部、２０２ 下タンク、２０３ フロートスイッチ、２０６ バキュームブレーカー、２０７ サーミスタ、２０８ バイメタル式温度過上昇防止器、２０９ 入水口、２１１ 温度ヒューズ、２１２ 温水ヒータ、２１５ 温度ヒューズ、２２２ タンク、２２３ バイメタルスイッチ、２２６ 流路形成体、２２７ サーミスタ、２２８ フロートスイッチ、２３０ 出湯形成体、２３２ サーミスタ、２３３ バキュームブレーカー、３００ 流量調整弁ユニット、４００ ノズルユニット、４１０ 吐水ノズル、４８０ ノズルモータ、４９０ ノズル洗浄室、５００ 制御部、５０５ 信号線、５２０ 便座ヒータ、５４０ 温風乾燥ユニット、５６０ 室内暖房ユニット、６００ 着座センサ、７００ リモコン、８００ 給水栓、８１０ 分岐水路、８２０ 接続金具、８３０ 給水配管、９００ コンセント、９５０ 便器、９５０Ｃ 凹設部、９５２ サイドカバー
【図１】
2008092625.tif 000003
【図２】
2008092625.tif 000004
【図３】
2008092625.tif 000005
【図４】
2008092625.tif 000006
【図５】
2008092625.tif 000007
【図６】
2008092625.tif 000008
【図７】
2008092625.tif 000009
【図８】
2008092625.tif 000010
【図９】
2008092625.tif 000011
【図１０】
2008092625.tif 000012
【図１１】
2008092625.tif 000013
【図１２】
2008092625.tif 000014
【図１３】
2008092625.tif 000015
【図１４】
2008092625.tif 000016